(57)【要約】【課題】  箱内が遊戯球又は遊戯貨幣で満たされた状態であっても広告を表示させることができる収納箱を提供する。【解決手段】  遊戯場に設置された遊戯機から排出される遊戯球又は遊戯貨幣を収納するための収納箱１０であって、箱本体１１を備えており、該箱本体１１の側面及び底面に広告４６が表示されている。該箱本体１１は、外箱１２と、該外箱１２の内側に収容される内箱１３とから構成され、該内箱１３の内長側壁２２及び内短側壁２３の外面に広告４６を表示する広告用スペース４５が設けられ、該外箱１２においては、該広告用スペース４５と対応する部位が無色透明又は有色透明の色調とされ、内箱１３が外箱１２の内側に収容された状態で、広告４６が該外箱の外長側壁２２及び外短側壁２３によってそれぞれ覆われている。【選択図】      図１
2009106698.tif 000002
【特許請求の範囲】
【請求項１】
遊戯場に設置された遊戯機から排出される遊戯球又は遊戯貨幣を収納するための収納箱であって、
箱本体を備えており、該箱本体の側面、あるいは側面及び底面に広告を表示するための広告用スペースを設けたことを特徴とする収納箱。
【請求項２】
上記箱本体は、外箱と、該外箱の内側に収容される内箱とから構成されるとともに、該外箱と該内箱はそれぞれ合成樹脂を材料としており、
また上記外箱と上記内箱は、それぞれ底壁と、該底壁の周縁に立設された複数の側壁とを有しており、
上記内箱においては、側壁の外面に上記広告用スペースが設けられており、
上記外箱においては、少なくとも上記内箱に設けられた上記広告用スペースと対応する部位が無色透明又は有色透明の色調とされており、
上記内箱が上記外箱の内側に収容された状態で、上記広告用スペースが上記外箱の側壁によって覆われ、かつ上記広告用スペースが上記外箱の側壁を介して外部から視認されるように構成されていることを特徴とする請求項１に記載の収納箱。
【請求項３】
上記内箱の側壁に設けられた上記広告用スペースは、該側壁の外面を凹ませることによって形成されていることを特徴とする請求項２に記載の収納箱。
【請求項４】
上記内箱の底壁の内面にはマットが敷設されており、
上記マットが、該内箱の内部に上記遊戯球又は上記遊戯貨幣が投入された際に発生する衝突音を低減し、かつ上記広告用スペースが設けられたものであることを特徴とする請求項２又は請求項３に記載の収納箱。
【請求項５】
上記内箱の底壁又は上記外箱の底壁には、上記広告用スペースが設けられており、
上記外箱の底壁又は上記内箱の底壁においては、少なくとも上記広告用スペースと対応する部位が無色透明又は有色透明の色調とされており、
上記内箱が上記外箱の内側に収容された状態で、上記広告用スペースが上記外箱の底壁又は上記内箱の底壁によって覆われ、かつ上記広告用スペースが上記外箱の底壁又は上記内箱の底壁を介して外部から視認できるように構成されていることを特徴とする請求項２又は請求項３に記載の収納箱。
【請求項６】
上記内箱の底壁の内面にはマットが敷設されており、
上記マットが、該内箱の内部に上記遊戯球又は上記遊戯貨幣が投入された際に発生する衝突音を低減するものであるとともに、少なくとも上記広告用スペースと対応する部位が無色透明又は有色透明の色調とされており、上記広告用スペースが該マットを介して外部から視認できるように構成されている
ことを特徴とする請求項５に記載の収納箱。
【請求項７】
上記内箱が上記外箱の内側に収容された状態で、該内箱が該外箱から離間することを抑制する離間抑制手段を設けた
ことを特徴とする請求項１から請求項６のうち何れか一項に記載の収納箱。
【発明の詳細な説明】
【技術分野】
【０００１】
本発明は、遊戯場にて遊戯機から排出される遊戯球又は遊戯貨幣を溜めるための収納箱に関するものである。
【背景技術】
【０００２】
従来、遊戯場では遊戯機から排出される遊戯球又は遊戯貨幣を溜めるべく、ドル箱等と呼称される収納箱を使用している。一般に該収納箱は、合成樹脂製の箱体と、該箱体の底部に敷設される平板状シートとを備えており、箱体の内部に投入される遊戯球又は遊戯貨幣の衝突音を該平板状シートによって低減するように構成されている。そして、該平板状シートの表面に、宣伝、広告、情報等各種態様を表示した収納箱が提供されている（特許文献１参照）。
【０００３】
【特許文献１】特開２００１−１３７５２９号公報
【発明の開示】
【発明が解決しようとする課題】
【０００４】
ところが、上記従来の収納箱にあっては、箱内が遊戯球又は遊戯貨幣で満たされてしまうと、宣伝、広告、情報等が遊戯球又は遊戯貨幣によって隠されてしまい、見えなくなってしまうという問題があった。
本発明は、このような従来技術に存在する問題点に着目してなされたものである。その目的とするところは、箱内が遊戯球又は遊戯貨幣で満たされた状態であっても広告を表示させることができる収納箱を提供することにある。
【課題を解決するための手段】
【０００５】
上記の目的を達成するために、請求項１に記載の収納箱の発明は、遊戯場に設置された遊戯機から排出される遊戯球又は遊戯貨幣を収納するための収納箱であって、箱本体を備えており、該箱本体の側面、あるいは側面及び底面に広告を表示するための広告用スペースを設けたことを要旨とする。
上記構成によれば、箱本体の側面に広告用スペースが設けられているため、箱内が遊戯球又は遊戯貨幣で満たされた状態であっても、広告用スペースが隠されず、広告を表示させることができる。
【０００６】
請求項２に記載の発明は、請求項１に記載の収納箱の発明において、上記箱本体は、外箱と、該外箱の内側に収容される内箱とから構成されるとともに、該外箱と該内箱はそれぞれ合成樹脂を材料としており、また上記外箱と上記内箱は、それぞれ底壁と、該底壁の周縁に立設された複数の側壁とを有しており、上記内箱においては、側壁の外面に上記広告用スペースが設けられており、上記外箱においては、少なくとも上記内箱に設けられた上記広告用スペースと対応する部位が無色透明又は有色透明の色調とされており、上記内箱が上記外箱の内側に収容された状態で、上記広告用スペースが上記外箱の側壁によって覆われ、かつ上記広告用スペースが上記外箱の側壁を介して外部から視認されるように構成されていることを要旨とする。
上記構成によれば、箱本体を外箱と内箱とによって構成し、広告用スペースを内箱の側壁の外面に設けたことにより、該広告用スペースが該外箱の側壁によって覆われるため、該広告用スペースを保護することができる。このため、広告が擦れたり、消えたり等してしまうことを防止することができ、長期間にわたって広告を表示することができる。
【０００７】
請求項３に記載の発明は、請求項２に記載の収納箱の発明において、上記内箱の側壁に設けられた上記広告用スペースは、該側壁の外面を凹ませることによって形成されていることを要旨とする。
上記構成によれば、広告用スペースは、内箱の側壁上で断面凹形状をなし、内箱を外箱の内側に収容した状態で、外箱の側壁と内箱の側壁との間に間隙を形成する。このため、内箱を外箱内に収容する際、広告用スペース内に表示された広告が外箱の側壁の内面に接触することを抑制することができる。
【０００８】
請求項４に記載の発明は、請求項２又は請求項３に記載の収納箱の発明において、上記内箱の底壁の内面にはマットが敷設されており、上記マットが、該内箱の内部に上記遊戯球又は上記遊戯貨幣が投入された際に発生する衝突音を低減し、かつ上記広告用スペースが設けられたものであることを要旨とする。
上記構成によれば、広告用スペースを収納箱の底部まで広げることができる。
【０００９】
請求項５に記載の発明は、請求項２又は請求項３に記載の収納箱の発明において、上記内箱の底壁又は上記外箱の底壁には、上記広告用スペースが設けられており、上記外箱の底壁又は上記内箱の底壁においては、少なくとも上記広告用スペースと対応する部位が無色透明又は有色透明の色調とされており、上記内箱が上記外箱の内側に収容された状態で、上記広告用スペースが上記外箱の底壁又は上記内箱の底壁によって覆われ、かつ上記広告用スペースが上記外箱の底壁又は上記内箱の底壁を介して外部から視認できるように構成されていることを要旨とする。
従来であれば収納箱の底部に広告を表示した場合、該底部には遊戯球又は遊戯貨幣が必ず衝突するため、該広告が極めて短期間で擦れたり、消えたり等してしまうという問題があった。しかし、上記構成によれば、収納箱の底部に表示された広告は、外箱の底壁又は内箱の底壁によって保護され、遊戯球又は遊戯貨幣が接触することを防止される。このため、収納箱の底部に広告を表示する構成としても、該広告を長期間にわたって表示することができる。
【００１０】
請求項６に記載の発明は、請求項５に記載の収納箱の発明において、上記内箱の底壁の内面にはマットが敷設されており、上記マットが、該内箱の内部に上記遊戯球又は上記遊戯貨幣が投入された際に発生する衝突音を低減するものであるとともに、少なくとも上記広告用スペースと対応する部位が無色透明又は有色透明の色調とされており、上記広告用スペースが該マットを介して外部から視認できるように構成されていることを要旨とする。
上記構成によれば、衝突音を低減するためのマットを収納箱の底部に敷設した構成とした場合であっても、収納箱の底部に表示された広告を該マットに隠されることなく表示することができる。
【００１１】
請求項７に記載の発明は、請求項１から請求項６のうち何れか一項に記載の収納箱の発明において、上記内箱が上記外箱の内側に収容された状態で、該内箱が該外箱の内側から離脱することを抑制する抑制手段を設けたことを要旨とする。
上記構成によれば、外箱に対して内箱が不用意に離脱されることを防止することができる。
【発明の効果】
【００１２】
本発明によれば、箱内が遊戯球又は遊戯貨幣で満たされた状態であっても広告を表示させることができる収納箱を提供することができる。
【発明を実施するための最良の形態】
【００１３】
以下、本発明の収納箱を具体化した一実施形態について説明する。
図１（ａ）〜（ｃ）に示すように、収納箱１０は、上面に開口部を有する箱本体１１を備えている。この収納箱１０は、遊戯場に設置された遊戯機から排出される遊戯球又は遊戯貨幣を収納するためのものであり、箱本体１１の内部には遊戯球又は遊戯貨幣が収納されるようになっている。
上記箱本体１１は、外箱１２と、該外箱１２の内側に収容される内箱１３とから構成されている。
【００１４】
図２（ａ）〜（ｃ）に示すように、上記外箱１２は、底壁として平面視で略長方形状の外底壁２１と、該外底壁２１の周縁に立設された複数の側壁として各一対の外長側壁２２及び外短側壁２３とを有している。
該外箱１２の外短側壁２３の上端部中央には、切欠部２４が形成されている。該切欠部２４の下縁からは、板状をなす支持部２５が横方向へ延設されている。該支持部２５の先端からは、側面視で断面円弧状をなす把手部２６が斜め下方から横方向へ向かうように延設されている。該把手部２６の下面には、指を掛けるための指掛部２７が凹設されている。
該外短側壁２３の外面には、一対の補強板２８が、それらの間に該支持部２５及び該把手部２６を挟むようにして突設されている。一対の補強板２８は、支持部２５及び把手部２６のそれぞれの側部と繋がっており、支持部２５及び把手部２６を補強している。
該外箱１２の上端周縁には、フランジ２９が形成されている。該フランジ２９は、該切欠部２４で途切れている。そして、該フランジ２９は、その途切れた個所で補強板２８の上端に繋がることにより、外箱１２を補強している。
【００１５】
図３（ａ）〜（ｃ）に示すように、上記内箱１３は、底壁として平面視で略長方形状の内底壁３１と、該内底壁３１の周縁に立設された複数の側壁として各一対の内長側壁３２及び内短側壁３３とを有している。これら内底壁３１、内長側壁３２及び内短側壁３３は、上記内箱１３を上記外箱１２の内側に収容するべく、上記外底壁２１、外長側壁２２及び外短側壁２３に比べて小さなサイズとなるように形成されている。
該内箱１３の内短側壁３３の上縁中央からは、板状をなすカバー部３５が横方向へ延設されている。さらに該カバー部３５の先端からは、側面視で断面円弧状をなす把手カバー部３６が斜め下方から横方向へ向かうように延設されている。該把手カバー部３６の上部両側と内短側壁３３の間には、一対の補強壁３８が形成されている。一対の補強壁３８は、それぞれの上縁がカバー部３５の側縁と繋がっており、カバー部３５及び把手カバー部３６を補強している。
上記内箱１３において、内底壁３１の内面（図３（ａ）中で上面には、マット３７が敷設されている。該マット３７は、熱可塑性エラストマー、合成ゴムなどの弾性材料、あるいは発泡材料から形成されており、箱本体１１内に遊戯球又は遊戯貨幣が投入された際、その衝撃を緩和することにより、投入時に発生する衝突音を低減するように機能している。
【００１６】
上記箱本体１１は、上記外箱１２の内側に上記内箱１３を収容することによって組み立てられる。該箱本体１１を組み立てた状態で、該内箱１３は、該外箱１２に対する位置ずれを抑制されている。すなわち、該外箱１２に対して該内箱１３は、一対の補強壁３８を支持部２５上に載せ、把手カバー部３６を把手部２６上に載せることにより、一対の補強壁３８、カバー部３５及び把手カバー部３６が一対の補強板２８の間に挟まるようにして固定されている（図１（ｂ）参照）。その結果、該内箱１３は、該外箱１２に対する位置ずれを抑制される。
図４（ａ），（ｂ）に示すように、該内箱１３は、内短側壁３３の上端部を切欠部２４に嵌め込ませることにより、内短側壁３３の上部と把手カバー部３６の間に、該外箱１２の外短側壁２３の上部、支持部２５及び把手部２６を狭持している。上記外箱１２において、把手部２６の先端には挿入孔４１が、該把手部２６の上面から下面を貫通して形成されている。該挿入孔４１の内側面には、該挿入孔４１の下端部（該把手部２６の下面側となる端部）を拡径することにより、係止段部４２が形成されている。上記内箱１３において、把手カバー部３６の先端下面で該挿入孔４１と対応する個所には挿入突起４３が形成されている。該挿入突起４３の端部（図中で下端部）には係合突部４４が形成されている。そして、挿入突起４３が挿入孔４１に挿入されるとともに、該挿入孔４１内で係合突部４４が係止段部４２に係止されることより、挿入孔４１内からの挿入突起４３の抜け出しが規制されている。
上記切欠部２４、外短側壁２３の上部、支持部２５、把手部２６、内短側壁３３の上部、カバー部３５、把手カバー部３６、挿入孔４１、係止段部４２、挿入突起４３、係合突部４４等は、該内箱１３が該外箱１２から離間することを抑制するための離間抑制手段を構成している。すなわち、把手カバー部３６等による支持部２５及び把手部２６の狭持と、係合突部４４等による挿入孔４１内からの挿入突起４３の抜出規制とにより、上記内箱１３は、上記外箱１２の内側に収容されて装着された状態を維持する。
なお、挿入孔４１内において、挿入突起４３のまわりには若干の間隙が設けてあり、この間隙を利用して挿入突起４３を曲げる等して係止段部４２に対する係合突部４４の係止を解除することにより、外箱１２に対して内箱１３を簡易に離間することができるようになっている。
【００１７】
上記外箱１２において、外長側壁２２及び外短側壁２３は、対向する一対が開口部に向かうに従い離間するように傾斜して配置されており、底部に比べて開口部が広がっている。同じく上記内箱１３において、内長側壁３２及び内短側壁３３は、対向する一対が開口部に向かうに従い離間するように傾斜して配置されており、底部に比べて開口部が広がっている。このため、図５に示すように、外箱１２と内箱１３を組み立ててなる箱本体１１は、その不使用時に積み重ねて保管等することができる。
【００１８】
上記内箱１３において、内長側壁３２及び内短側壁３３の外面には、広告用スペース４５が凹設されている。該広告用スペース４５には、印刷、貼着等の方法によって広告４６（図中に「○△□」として描く）が表示されている。また、上記外箱１２において、外長側壁２２及び外短側壁２３は、上記広告用スペース４５と対応する部位のみならず全体が無色透明又は有色透明の色調とされている。
上記内箱１３が上記外箱１２の内側に収容されると（図１参照）、上記内長側壁３２及び内短側壁３３の広告用スペース４５に表示された各広告４６は、外長側壁２２及び外短側壁２３によって箱本体１１の外部からそれぞれ覆われる。そして、該外長側壁２２及び外短側壁２３は、無色透明又は有色透明の色調とされているため、該広告４６は、該外長側壁２２及び該外短側壁２３を介して箱本体１１の外部から視認可能となる。
【００１９】
上記マット３７は、無色透明又は有色透明の色調とされている。該マット３７の底面（内箱１３の内底壁３１と接触する面）は、広告用スペース４５とされ、該広告用スペース４５には、印刷、貼着等の方法によって広告４６が表示されている。なお、該広告４６は、該マット３７の底面側から見て表裏反転の状態で表示されている。そして、該マット３７が上記内底壁３１の内面に敷設されると、上記広告４６は、その一面（上面）が該マット３７によって覆われ、他面（底面）が該外底壁２１及び該内底壁３１によって覆われる。該マット３７は、無色透明又は有色透明の色調とされているため、該広告４６は、マット３７を介して箱本体１１の外部から視認可能となる。
【００２０】
上記構成の収納箱１０において、広告４６は、箱本体１１の側面に設けられており、箱本体１１内を遊戯球又は遊戯貨幣で満たした状態としても、該広告４６が該遊戯球又は遊戯貨幣によって隠されず、常に遊戯者から視認可能となっている。
また、上記構成の収納箱１０において、広告４６は、外長側壁２２、外短側壁２３、マット３７等によって覆われることにより、箱本体１１の外部あるいは内部に露出しないように構成されている。このため、例えば遊戯球、遊戯貨幣等を箱本体１１内に収納したり、収納箱１０を持ち歩いたり、あるいは使用していない収納箱１０を積み重ねて（図５参照）保管したり等する場合に、遊戯球、遊戯貨幣、遊戯者の手、他の収納箱１０等が広告４６に直接的に接触することを防止することができる。その結果、傷付き、擦れ落ち等といった広告４６の品質低下に繋がる不具合が生じることを抑制することができ、該広告４６の品質を長期間にわたって保護することができる。さらに、無色透明又は有色透明の色調とした外長側壁２２、外短側壁２３、マット３７等で広告４６を覆い、このような透明部材（外長側壁２２、外短側壁２３、マット３７等）の内側に該広告４６を配置することで、該広告４６に奥行感が付与されるため、該広告４６を見た者に重厚な印象を与えることができる。
【００２１】
さらにまた、内長側壁３２及び内短側壁３３に設けられる広告用スペース４５は、該内長側壁３２及び該内短側壁３３をその外面から内面に向かって凹ませることによって形成されている。このため、凹状をなす広告用スペース４５の内側に表示された広告４６については、外箱１２に内箱１３を装着する場合もまた、該広告４６が該外箱１２に直接的に接触することを防止することができる。その結果、内箱１３装着時の傷付き、擦れ落ち等といった広告４６の品質低下に繋がる不具合が生じることを防止することができ、該広告４６の品質を好適に保護することができる。
加えて、外長側壁２２と内長側壁３２の間、及び外短側壁２３と内短側壁３３の間にそれぞれ形成される間隙からなる広告用スペース４５には、厚みのある広告４６を表示させることも可能である。このため、例えばホログラム印刷、立体印刷等のような厚みのある印刷物からなる広告４６であっても表示させることが可能であり、既存の広告形態に囚われることなく、多種多様な広告４６を表示させることができる。また、このような厚みのある広告４６を表示させる場合であっても、該広告４６が外長側壁２２、外短側壁２３、マット３７等によって覆われることにより、該広告４６の品質を好適に保護することができる。
【００２２】
上記収納箱１０は、破損、汚損等した場合に回収し、新たに収納箱１０を成形するための再生材料とすることが望ましい。このとき、外箱１２のみ、あるいは内箱１３のみが破損、汚損等した場合には、その破損、汚損等した外箱１２のみ、あるいは内箱１３のみを回収し、新たな外箱１２あるいは内箱１３に交換することができる。このため、収納箱１０全体を交換することに比べ、コストの低減を図ることができる。特に、表示される広告４６を変更する場合、上記構成であれば広告４６は内箱１３のみに付与されているため、外箱１２をそのまま流用し、内箱１３のみを交換することで広告４６の変更に簡易に対応することができる。また内箱１３のみの交換であるため、交換に要するコストを安価なものとすることができる。
なお、内箱１３のみを交換する場合、上記したように挿入突起４３を曲げる等して係止段部４２に対する係合突部４４の係止を解除することで外箱１２から内箱１３を簡単に取り外すことができる。
【００２３】
上記外箱１２と上記内箱１３は、その材料として熱可塑性樹脂、熱硬化性樹脂などの合成樹脂が使用される。熱可塑性樹脂としては、ポリカーボネート（ＰＣ）、アクリロニトリル−ブタジエン−スチレン共重合樹脂（ＡＢＳ樹脂）、ポリアミド（ＰＡ）、ポリアセタール（ＰＯＭ）、変性ポリフェニレンエーテル（変性ＰＰＥ）、環状ポリオレフィン（ＣＯＰ）、ポリフェニレンスルファイド（ＰＰＳ）、ポリテトラフルオロエチレン（ＰＴＦＥ）、ポリエーテルエーテルケトン（ＰＥＥＫ）等のエンジニアリングプラスチック、あるいはポリエチレン（ＰＥ）、ポリプロピレン（ＰＰ）等のポリオレフィン、あるいはポリエチレンテレフタレート（ＰＥＴ）、ポリトリメチレンテレフタレート（ＰＴＴ）、ポリブチレンテレフタレート（ＰＢＴ）、ポリエチレンナフタレート（ＰＥＮ）、ポリブチレンナフタレート（ＰＢＮ）等のポリエステル、ポリ塩化ビニル（ＰＶＣ）、ポリ塩化ビニリデン、ポリスチレン（ＰＳ）、ポリ酢酸ビニル（ＰＶＡｃ）、アクリロニトリル−スチレン共重合樹脂（ＡＳ樹脂）などが例示される。熱硬化性樹脂としては、フェノール樹脂（ＰＦ）、エポキシ樹脂（ＥＰ）、メラミン樹脂（ＭＦ）、尿素樹脂（ＵＦ）、不飽和ポリエステル樹脂（ＵＰ）、アルキド樹脂、ウレタン樹脂（ＰＵＲ）などが例示される。
これら例示した材料のうち、上記外箱１２の材料としては、再生性、透明性、耐衝撃性及び耐熱性に優れるという観点から、ポリカーボネート（ＰＣ）が望ましい。また、上記内箱１３の材料としては、再生性、剛性、硬度、加工性、耐衝撃性及び曲げ疲労性に優れるという観点から、ＡＢＳ樹脂が望ましい。
【００２４】
次に、上記収納箱１０の発注、納品等といった流通モデルについて説明する。
通常、上記のような収納箱１０は、遊戯場（ホール）からの発注によって成形業者で生産され、その資金（生産コスト）をホールが負担するものであるが、本発明では、該生産に係る生産コストを上記広告４６の広告主（スポンサー）が負担することに特徴がある。加えて、ホールとスポンサーとの間を遊戯機を製造するメーカーが仲介することにも特徴がある。
すなわち、スポンサーは、メーカーに資金提供を行い、該メーカーはその提供された資金に基づき、該スポンサーの広告４６が表示された収納箱１０の製造あるいは製造依頼を行う。該メーカーは、ホールからの発注数に応じて収納箱１０の製造あるいは製造依頼を行い、製造された収納箱１０をホールに無償で提供する。また該メーカーは、収納箱１０とは別に、フリーペーパー、カタログ、フリーマガジン等の刊行物の発行あるいは発行依頼を行い、該刊行物を収納箱１０とともにホールに無償で提供する。該ホールは、遊戯者（ユーザー）による遊戯に収納箱１０を供するとともに、該刊行物を遊戯者に無償で提供する。遊戯者は、収納箱１０に表示された広告４６によってスポンサーの商品に対して興味を抱くとともに、該刊行物に掲載されたアンケート、懸賞等をスポンサー又はメーカーに提出することにより、スポンサー又はメーカーと直接的な繋がりを得る。
【００２５】
上記収納箱１０を使用した流通モデルによれば、スポンサー、メーカー、ホール及びユーザーに４者４様のメリットを構築する。
つまり、スポンサーは、メーカーに対して資金提供、ホール及びメーカーに対して遊戯機の機種イメージの向上（ユーザーに遊戯機を印象づける等）、ユーザーに対して企業・商品アピールを行い、顧客情報の入手、広範囲な広告展開というメリットを得る。
メーカーは、スポンサーに対して広告用スペースの提供、ホールに対して収納箱１０の無償提供、ユーザーに対して刊行物の提供を行い、遊戯機の機種イメージの向上、無償で該ホールを支援可能というメリットを得る。
ホールは、スポンサーに対して広告用スペースの提供、メーカーに対して遊戯機のユーザーへのアピール、ユーザーに対して刊行物の配布を行い、収納箱１０を無償で入手できる、話題性で顧客を誘引できる、ユーザーへのサービス向上というメリットを得る。
ユーザーは、スポンサーに対して広告の閲覧又は懸賞、アンケート等の提出、メーカーに対して遊戯機の使用又は懸賞、アンケート等の提出、ホールに対して遊戯機の使用を行い、広告による商品情報等の入手、刊行物による情報等の入手、懸賞賞品等の入手というメリットを得る。
なお、上記スポンサーは、収納箱１０に広告４６を表示させるべく資金提供を行う者であれば何れの者であってもよく、メーカー、ホール又はユーザーがスポンサーとなることもある。
【００２６】
ここで、本発明の収納箱は、上記した実施形態の構成に限らず、以下のような構成に変更してもよい。
上記構成ではマット３７の裏面を広告用スペース４５としたが、これに代えて内底壁３１の上面（マット３７が載置される面）を広告用スペース４５としてもよい。このような構成とした場合、内底壁３１上の広告用スペース４５に表示された広告４６は、マット３７によって覆われて保護される。なお、このように内底壁３１の上面を広告用スペース４５とする場合、広告４６は、内底壁３１の上面側から見て正常な状態で描かれ、また該広告用スペース４５に描かれた広告４６を表示させるべく、マット３７の少なくとも広告４６と対応する個所、あるいはマット３７の全体が無色透明又は有色透明の色調とされる。
あるいは、外箱１２の外底壁２１の上面（内箱１３の内底壁３１側となる面）を広告用スペース４５としてもよい。このような構成とした場合、外底壁２１上の広告用スペース４５に表示された広告４６は、マット３７によって覆われて保護される。このように外底壁２１の上面を広告用スペース４５とする場合、広告４６は、外底壁２１の上面側から見て正常な状態で描かれ、また該広告用スペース４５に描かれた広告４６を表示させるべく、内底壁３１及びマット３７の少なくとも広告４６と対応する個所は無色透明又は有色透明の色調とされる。他に、マット３７の上面を広告用スペース４５としてもよい。
【００２７】
上記のように内底壁３１又は外底壁２１に広告用スペース４５を設ける場合、マット３７を省略してもよい。また、例えば内底壁３１を省略して内箱１３を成形し、該内底壁３１となる部分にマット３７を取り付けたり等することにより、マット３７が内底壁３１となるように内箱１３を構成してもよい。また内箱１３を発泡材料、合成ゴム等で成形し、該内箱１３に衝撃音を低減する機能を付与することにより、マット３７を省略してもよい。
【００２８】
上記内箱１３は、上記外箱１２と同様に無色透明又は有色透明の色調としてもよいが、表示される広告４６を目立たせるために、例えば白色、黒色、赤色等の不透明な色調としたり、あるいは立体を表現する等のような外箱１２の色調と相俟った色調としたりしてもよい。さらに、外箱１２は、外長側壁２２あるいは外短側壁２３の全体を無色透明、有色透明の色調とすることに限らず、広告４６と対応する位置のみを無色透明、有色透明の色調としてもよい。
【００２９】
上記離間抑制手段は、挿入孔４１、挿入突起４３等によらずとも、例えば把手部２６と把手カバー部３６とを挟着するクリップによって構成してもよい。あるいは、挿入突起４３を挿入孔４１に嵌入する構成とし、係止段部４２及び係合突部４４を省略してもよい。また、一対の補強板２８間の長さに対し、カバー部３５あるいは把手カバー部３６の幅長を若干長くして、カバー部３５あるいは把手カバー部３６が一対の補強板２８の間に嵌着される構成としてもよい。
【００３０】
上記内箱１３は、内長側壁３２あるいは内短側壁３３の外面に広告用スペース４５を凹設したが、内長側壁３２あるいは内短側壁３３の外面を平坦状として、その平坦状とした該外面を広告用スペース４５としてもよい。
また、該箱本体１１の底面を構成するマット３７に設けられた広告用スペース４５、あるいは上記のように内底壁３１又は外底壁２１に設けられた広告用スペース４５を省略してもよい。さらにまた該箱本体１１の側面に設けられる広告用スペース４５については、内長側壁３２及び内短側壁３３の双方に設けることに限らず、内長側壁３２のみ、あるいは内短側壁３３のみに設けてもよい。
【００３１】
各図面に示す収納箱１０は、遊戯機の手前等に置かれて使用される小型のものであるが、本発明の収納箱は遊戯球又は遊戯貨幣を収容するものであれば、この小型のものに限らず、例えば大量の遊戯球又は遊戯貨幣を収容するための遊戯者の足下に置かれる大型の収納箱としてもよい。
【００３２】
また上記外箱１２の外長側壁２２あるいは外短側壁２３の内面に広告用スペース４５を凹設する、あるいは外長側壁２２あるいは外短側壁２３の平坦状をなす内面を広告用スペース４５としてもよい。
各図面に示す収納箱１０の箱本体１１を外箱１２と内箱１３とに分けず、１つの箱として構成してもよい。この場合、箱本体１１側面である側壁の外面又は内面を広告用スペースとして広告を表示する。また箱本体１１を１つの箱として構成する場合に、箱本体１１の底面である底壁の外面又は内面あるいはマットの外面又は内面を広告用スペースとして広告を表示してもよい。
【図面の簡単な説明】
【００３３】
【図１】（ａ）は収納箱を正面から見た半断面図、（ｂ）は収納箱を側面から見た半断面図、（ｃ）は収納箱の平面図。
【図２】（ａ）は外箱を正面から見た半断面図、（ｂ）は外箱を側面から見た半断面図、（ｃ）は外箱の平面図。
【図３】（ａ）は内箱を正面から見た半断面図、（ｂ）は内箱を側面から見た半断面図、（ｃ）は内箱の平面図。
【図４】（ａ）は挿入突起を挿入孔に挿入する状態を示す断面図、（ｂ）は挿入突起を挿入孔に挿入した状態を示す断面図。
【図５】収納箱を積み重ねた状態を示す正面図。
【符号の説明】
【００３４】
１０      収納箱
１１      箱本体
１２      外箱
１３      内箱
２１      外底壁
２２      外長側壁
２３      外短側壁
３１      内底壁
３２      内長側壁
３３      内短側壁
３７      マット
【図１】
2009106698.tif 000003
【図２】
2009106698.tif 000004
【図３】
2009106698.tif 000005
【図４】
2009106698.tif 000006
【図５】
2009106698.tif 000007